(57)【特許請求の範囲】
【請求項１】
閉鎖空間を形成するための開閉扉付きの周囲壁及び屋根から構成される倉庫ユニットと、
この倉庫ユニット内の床に前記周囲壁に沿って互いに所定間隔をもって並んで配設され、緊急時にトイレとして用いられる排泄物落下用の複数の穴と、
これらの穴の下端部がそれぞれ連通された、床下に埋設される汚物タンクと、
前記各穴に対応して設けられ、緊急時にトイレとして用いられるとき、個別のトイレ空間を仕切る仕切り壁と、を備え、
前記仕切り壁は、可動な複数のパネルからなり、平常時は前記倉庫ユニットの周囲壁側に折り畳まれ、
前記パネルは、各トイレ空間を仕切る仕切りパネルと、この仕切りパネルに対して回動する扉パネルとを備え、前記仕切りパネルの一端は倉庫の周囲壁に回動可能に支持され、その他端は前記扉パネルの一端を回動自在に支持しており、
前記穴の上端開口には、平常時に穴を塞ぐ複数の緊急用の便器が設けられており、
前記汚物タンクは、所望のトイレ数になるように、長さの異なる複数種類のタンクが任意数だけ長さ方向に結合され、各タンクの上面には前記便器の台座を取り付けるための穴を有し、
前記便器の各々は、前記台座と、その開口に開閉可能に取り付けられる蓋とから成り、そのうちの少なくとも一つの便器は、台座が円筒状であり、蓋が円形のマンホール型であり、その蓋に矩形の開口を有し、その開口に矩形の蓋が設けられており、他の便器は、台座が矩形であり、その台座に蓋が蝶番により取り付けられ所定角度まで開いて固定され、蓋の裏面に金隠しを備える、ことを特徴とする緊急時用トイレ機能を有する倉庫。
【発明の詳細な説明】
【技術分野】
【０００１】
本発明は、緊急時に使用されるトイレの改良に関する。
【背景技術】
【０００２】
例えば大地震等が発生して断水し、トイレの水が流せなくなり、緊急に使用できるトイレが必要となった場合に仮設トイレが用いられる。仮設トイレには、例えば、マンホール型の便器と、該便器の周りを仕切ることによってトイレ空間を形成するテントと、を備えるものが知られている。マンホール型の便器は、例えば和式トイレのサイズの開口を有する台座と、該台座に取り付けられている矩形のマンホール型の蓋と、で構成される。蓋を開けると現れる台座の開口は、地下の下水管又は汲み取り式の汚物タンクに連通している（特許文献１を参照）。
【先行技術文献】
【特許文献】
【０００３】
【特許文献１】特開２００５−２４０５１０号公報
【発明の概要】
【発明が解決しようとする課題】
【０００４】
マンホール型の便器を使用する場合、便器を囲んでトイレ空間を形成するテント又は仮設の建屋が必要になる。緊急時にテントや仮設の建屋を建てるには、予めその材料を近所に保管してくことと、それらを建てる知識を有する者がその場所にいることが必要である。テントは一般市民であっても、建て易いと思われるが、風雨に弱く使用者に不安感を与える。そのため、仮設の建屋の方が好ましいが、必要な材料が多く、建てるのに専門の知識及び工具が必要な場合が多いという課題がある。
【０００５】
本発明は、上記従来の課題を解決するためになされたものであり、平常時は緊急時に使用する備品を収納する屋根付きの倉庫として使用でき、緊急時に備品を屋外に運び出した後、周囲壁で囲まれた丈夫で安心して使える仮設トイレを専門の知識及び工具を必要とすることなく構成することができる、緊急時用トイレ機能を有する倉庫を提供することを目的とする。
【課題を解決するための手段】
【０００６】
上記目的を達成するために本発明は、閉鎖空間を形成するための開閉扉付きの周囲壁及び屋根から構成される倉庫ユニットと、この倉庫ユニット内の床に前記周囲壁に沿って互いに所定間隔をもって並んで配設され、緊急時にトイレとして用いられる排泄物落下用の複数の穴と、これらの穴の下端部がそれぞれ連通された、床下に埋設される汚物タンクと、前記各穴に対応して設けられ、緊急時にトイレとして用いられるとき、個別のトイレ空間を仕切る仕切り壁と、を備え、前記仕切り壁は、可動な複数のパネルからなり、平常時は前記倉庫ユニットの周囲壁側に折り畳まれ、前記パネルは、各トイレ空間を仕切る仕切りパネルと、この仕切りパネルに対して回動する扉パネルとを備え、前記仕切りパネルの一端は倉庫の周囲壁に回動可能に支持され、その他端は前記扉パネルの一端を回動自在に支持しており、前記穴の上端開口には、平常時に穴を塞ぐ複数の緊急用の便器が設けられており、前記汚物タンクは、所望のトイレ数になるように、長さの異なる複数種類のタンクが任意数だけ長さ方向に結合され、各タンクの上面には前記便器の台座を取り付けるための穴を有し、前記便器の各々は、前記台座と、その開口に開閉可能に取り付けられる蓋とから成り、そのうちの少なくとも一つの便器は、台座が円筒状であり、蓋が円形のマンホール型であり、その蓋に矩形の開口を有し、その開口に矩形の蓋が設けられており、他の便器は、台座が矩形であり、その台座に蓋が蝶番により取り付けられ所定角度まで開いて固定され、蓋の裏面に金隠しを備える、ことを特徴とする緊急時用トイレ機能を有する倉庫である。
【発明の効果】
【００１１】
本発明によれば、（１）倉庫ユニット内の床面に設けられた穴を塞ぐ蓋が便器となり、穴は床下に埋設された汚物タンクに連通した構成としているので、平常時には倉庫全体を備品収納用とした大きなスペースを確保でき、利用効率が高い。また、倉庫の開閉扉とトイレの扉とは別物であり、倉庫の開閉扉はトイレの扉に比し何倍も大きなものを用いることができ、倉庫は大きな備品を収納するに適当なものとなる。（２）緊急時は備品を屋外に運び出し、折り畳まれている仕切り壁を展開するだけで、トイレ前扉を含んだ間仕切りが得られ、周囲壁で囲まれた丈夫で安心して使える仮設トイレを簡単に構成することができます。（３）汚物タンクは、所望のトイレ数に応じて任意数のタンクを選択して長さ方向に組み合わされて構成されるので、現場において所望数のトイレ設置に容易に対応できる。（４）緊急時トイレ用の仕切りパネルが倉庫の周囲壁に支持され、この仕切りパネルに回動支持された扉パネルを備えているので、仕切りパネル用の支柱を必要とすることなく、扉を含めた仕切り壁を２枚のパネルで具現でき、施工容易である。（５）少なくとも一つの便器は、台座が円筒状で蓋が円形のマンホール型であるので、汚物タンクから汚物の汲み取る作業を容易に行うことができ、他の便器は、蓋を蝶番により所定角度まで開いて固定すると金隠しを構成できるので、便器として使い勝手が高まる。
【図面の簡単な説明】
【００１２】
【図１】（ａ）は本発明の第１実施形態に係る緊急時用トイレ機能を有する倉庫を構成する倉庫ユニットの外観図、（ｂ）は倉庫ユニットの屋根及び開閉扉を除去して倉庫内を上方から見た斜視図。
【図２】上記緊急時用トイレ機能を有する倉庫の構成を示す斜視図。
【図３】（ａ）（ｂ）は、同緊急時用トイレ機能を有する倉庫の仕切り壁の展開方法を説明する上面図。
【図４】同緊急時用トイレ機能を有する倉庫の緊急時用便器を囲む仕切り壁を示す正面図。
【図５】（ａ）（ｂ）は同緊急時用トイレ機能を有する倉庫で用いるマンホール型の緊急時用便器の斜視図、（ｃ）（ｄ）は異なる種類の緊急時用便器の斜視図。
【図６】（ａ）は同緊急時用トイレ機能を有する倉庫で用いる汚物タンクを示す斜視図、（ｂ）は汚物タンクに床材を取り付けた状態を示す斜視図、（ｃ）は汚物タンクの代わりに緊急時用便器を下水管に連通する管を示す斜視図。
【図７】（ａ）は第２実施形態に係る緊急時用トイレ機能を有する倉庫の全体構成を示す斜視図、（ｂ）はその一部平面図。
【発明を実施するための形態】
【００１３】
本発明の緊急時用トイレ機能を有する倉庫は、汚物落下用に用いる穴の開けられている床を有し、閉鎖空間を形成する屋根付きの倉庫ユニットと、穴に配置されたマンホール型の便器と、該便器に連通している下水管又は汲み取り式の汚物タンクと、使用時にマンホール型便器を囲んでトイレ空間を仕切る仕切り壁と、を備える。倉庫は、平常時には、緊急時に使用される備品を収納する倉庫として用いられる。例えば大地震等が発生して断水し、トイレの水が流せなくなり、仮設トイレが必要となった場合に、倉庫は、備品を屋外に運び出すことによって、四方を壁で囲まれた丈夫で安心して使える仮設トイレとして使用できる。倉庫の屋根は、便器の蓋の隙間から雨水が汚物タンクに流れ込むことを防ぐ。また、便器の蓋を二重構造にすることによって、未使用時に倉庫内に排泄物の臭いがこもるのを有効に防ぐ。
【００１４】
（第１実施形態）
図１（ａ）は、第１実施形態に係る緊急時用トイレ機能を有する倉庫１の外観を示す。緊急時用トイレ機能を有する倉庫１は、緊急時に使用される備品を収納するための閉鎖空間を形成する、周囲壁２、屋根３及び床（図１（ｂ）に示す床６を参照）をから構成されている倉庫ユニットを備える。周囲壁２は、倉庫内へ荷物の出し入れをするための２つの入り口４ａ、４ｂを有している。入り口４ａ、４ｂは、開閉扉（シャッター）５ａ、５ｂを備えている。例えば、緊急時用トイレ機能を有する倉庫１の建屋の奥行きは２７５０ｍｍ、開閉扉５ａ、５ｂを有する正面部分の幅は６０００ｍｍ、高さは２３００ｍｍである。
【００１５】
図１（ｂ）は、緊急時用トイレ機能を有する倉庫１の倉庫ユニットの内、屋根３及び開閉扉５ａ、５ｂを除去した倉庫内を示す。周囲壁の内壁２ａには、仕切り壁１０が略等間隔に６個設けられている。本図において、仕切り壁１０は内壁２ａ側に折り畳まれた状態を示す。倉庫ユニットの床６は、排泄物落下用の６個の穴６ａ〜６ｆが、周囲壁２の内壁２ａに平行に、直状に並んで配設されている。６個の穴６ａ〜６ｆには、蓋を有し該蓋を開けた状態で使用される１個の円形のマンホールサイズ（例えば直径６００ｍｍ）の緊急時用の便器８と５個の矩形の和式トイレサイズ（例えば２４０ｍｍ×４６０ｍｍ）の緊急時用の便器９とが配置されている。便器８は、円形の開口を有している台座と前記開口に嵌る円形の蓋とで構成される（図５（ａ）（ｂ）を参照）。便器９は、矩形の和式トイレサイズの開口を有する台座と前記開口に嵌る矩形の蓋とで構成される（図５（ｃ）（ｄ）を参照）。全部で６個の便器８、９は、床下に埋設されているコンクリート製の汚物タンク３０に連通するように取り付けられている。倉庫内には、緊急時に使用される備品７ａ、７ｂが置かれている。便器８、９は、上方に出っ張りの少ない平らな蓋を備えており、上方空間を有効に用いることができる。屋根３（図１（ａ）を参照）は、便器８、９の蓋の隙間から雨水が汚物タンク３０に流れ込むことを防ぐ。
【００１６】
図２は、第１実施形態に係る緊急時用トイレ機能を有する倉庫１の構成を詳しく示す。本図は、備品７ａ、７ｂ（図１（ｂ））を屋外に運び出して緊急時用トイレとして使用する場合について示す。理解の容易化のため、屋根３を除去して示す。
【００１７】
平常時、図中矢印Ａで示すように、仕切り壁１０は、内壁２ａに沿う位置に折り畳まれている。仕切り壁１０は、矢印Ｂで示す仕切り壁１０のように２個の蝶番１０ａによって長辺同士を回動可能に接続してある２枚のパネル１０ｂ、１０ｃで構成される。蝶番１０ａの数は、設定事項であり、一般には、２〜４個用いられる（他の蝶番についても同様）。緊急時、倉庫内の備品７ａ、７ｂが屋外に取り出された後、作業者は、矢印Ｂで示す仕切り壁１０のように、２枚のパネル１０ｂ、１０ｃを展開してトイレ空間１１を作る。トイレ空間１１は、２枚のパネル１０ｂ、１０ｃと、隣りの仕切り壁１０のパネル１０ｃと、内壁２ａとによって区画される空間をいう。
【００１８】
以下、展開した時に便器の前方に位置して開閉扉として機能するパネル１０ｂを扉パネル１０ｂという。隣り合う便器の間の仕切り壁となるパネル１０ｃを仕切りパネル１０ｃという。仕切りパネル１０ｃは、蝶番１０ａの取り付けられていない側の長辺を別の蝶番１０ｄによって内壁２ａに回動可能に取り付けられている。扉パネル１０ｂは、蝶番１０ａに接続されていない。仕切りパネル１０ｃの内壁２ａから遠位にある長辺には、系止用板１０ｅが、例えば開度調節機能付き蝶番によって矢印Ｃで示す仕切りパネル１０ｃ側にのみ折り畳み可能に取り付けられている。内壁２ｂには、図中左端の仕切り壁１０用の系止用板１０ｅが、例えば開度調節機能付き蝶番によって内側２ｂ側にのみ折り畳み可能に取り付けられている。パネル１０ｂの蝶番１０ａの取り付けられていない側の長辺には鍵１０ｆが取り付けられている。鍵１０ｆは、水平方向にスライド移動して系止用板１０ｅに係合して鍵として機能する棒材１０ｇと、棒材１０をスライド移動可能に支持する台１０ｈとで構成されている。
【００１９】
図３（ａ）（ｂ）は、仕切り壁１０の展開方法を示す。図３（ａ）に示すように、まずステップ１として、仕切り壁１０は、蝶番１０ｄの働きによって、２枚のパネル１０ｂ、１０ｃを内壁２ａに垂直となる位置にまで展開する。蝶番１０ｄは、照扉パネル１０ｂの厚みの分だけ内壁２ａから離れた位置で仕切りパネル１０ｃを保持する。しかし、蝶番１０ｄは、図３（ａ）に示すように折れ曲がることによって、仕切りパネル１０ｃと内壁２ａとの間に、折り畳んだ状態の蝶番１０ｄの厚みより大きな隙間を開けることなく、仕切りパネル１０ｃを隣り合う便器の仕切り壁として配置することができる。この位置にまで展開することで、パネル１０ｃに取り付けてある系止用板１０ｅは、内壁２ａに平行となる位置に配置される。次に、図３（ｂ）に示すように、ステップ２として、蝶番１０ａの働きによって、パネル１０ｂをパネル１０ｃとの間の角が９０度となる位置、本図において内壁２ａとパネル１０ｂとが平行になる位置にまで展開する。鍵１０ｆの棒材１０ｇの先は、系止用板１０ｅを挟むように分岐しており、スライド移動して系止用板１０ｅに係合して鍵として機能する。系止用板１０ｅに棒材１０ｇ用の差し込み穴を設け、棒材１０ｇに先の割れていない棒材を使用してもよい。
【００２０】
蝶番１０ａの代わりに、例えば点線枠５０で囲んで示すように、パネル１０ｂ、１０ｃの向かい合う表面に取り付けた蝶番５０ａを用いてもよい。同時に、系止用板１０ｅの代わりに、パネル１０ｃの厚み部分にまで伸びた形状の系止用板５０ａを用いてもよい。この構成を採用することで、開度調節機能の付いていない蝶番を用いても、図示する使用位置に系止用板５０ａを確実に止めることができる。
【００２１】
蝶番１０ｄの代わりに、内壁２ａの上下２個所から突出する板状の保持具であって、仕切りパネル１０ｃの長辺部分の上下端を仕切りパネル１０ｃが回転可能に保持する保持具を用いてもよい。この場合、保持具が扉パネル１０ｂの厚みの分だけ内壁２ａから離れた位置で仕切りパネル１０ｃを保持する関係上、仕切り壁１０を展開した場合に、仕切りパネル１０ｃと内壁２ａとの間に隙間ができる。このため、上下の保持具間に縦長の目隠し用の板を設けるのが好ましい。
【００２２】
図４は、並んで配設されている仕切り壁１０において、２つの仕切り壁１０をトイレ用に展開した状態を示す。仕切りパネル１０ｃの系止用板１０ｅを備える側の長辺の下側には、支え棒１０ｉを設けてある。６個の仕切り壁１０は、必要に応じて一部のみを組み立てることができる。図示するように、使用しない便器の上方空間は、荷物置きに有効活用することができる。
【００２３】
図５（ａ）は、内部に矩形の蓋を備えた円形のマンホールサイズ（例えば直径６００ｍｍ）の開閉蓋を有する緊急時用便器８を示し、図５（ｂ）は便器８の上に洋式の便座２０を取り付けた状態を示す。図５（ｃ）は、和式トイレサイズ（例えば２４０ｍｍ×４６０ｍｍ）の矩形の開閉蓋を有する緊急時用便器９を示し、図５（ｄ）は便器９の使用状態を示す。
【００２４】
図５（ａ）に示す便器８は、床の穴６ａに配置されており、開口を有している略円筒状の鉄製の台座８ａと、台座８ａの開口に開閉可能に取り付けられている鉄製の円形のマンホール型の蓋８ｂと、で構成される。蓋８ｂは、矩形（例えば２４０ｍｍ×４６０ｍｍ）の開口８ｃを有しており、開口８ｃには矩形の蓋８ｄが取り外し可能に嵌められている。台座８ａは、その開口下端部が汚物タンクに連通するように、汚物タンク上に取り付けられている。便器８は、蓋８ｄを取り外した状態で、和式トイレの便器として使用される。また、図５（ｂ）に示すように蓋８ｄを外してできる開口の上に洋式の便座２０を取り付けた状態で、洋式トイレの便器として使用される。
【００２５】
図５（ｃ）に示す便器９は、床の穴６ｂ〜６ｆに配置されており、和式トイレサイズの開口を有している略四角柱状の鉄製の台座９ａと、台座９ａの開口に開閉可能に取り付けられている矩形状の鉄製の蓋９ｂとで構成される。台座９ａは、その開口下端部が汚物タンクに連通するように取り付けられている。便器９は、蓋９ｂを開けた状態で和式トイレとして使用される。図５（ｄ）に示すように、蓋９ｂは、一方の短辺が台座９ａに蝶番によって取り付けられており、図５（ｄ）に示す角度にまで開き、固定できるようになっている。蓋９ｂの裏面には金隠し９ｃが備えられている。開いた状態にある蓋９ｃの上部にはトイレットペーパー２１用の金具２２が取り付けられている。金具２２は蓋９ｂの裏面に配設されているネジ穴９ｄ、９ｅに蝶ねじ２２ａ、２２ｂによって図示する位置に取り付けられている。金具２２は、未使用時には、蝶ねじ２２ｂを枢軸として、時計回りに９０℃回転させた状態で、点線で示す状態で蓋９ｂの裏面に完全に収納される。この場合、蝶ねじ２２ａは、ネジ穴９ｄに付け替える。なお、金具２２のトイレットペーパーの芯に差し込む部分２２ｃは、収納用に伸縮可能になっている。便器９は、二重蓋となっており、台座９ａの開口と汚物タンクとを連通する通路９ｅを塞ぐ中蓋２３を有している。中蓋２３を採用することによって、未使用時に倉庫内に排泄物の臭いがこもるのを有効に防ぐ。図５（ａ）に示した便器８も、同様に二重蓋構造を採用する。
【００２６】
図６（ａ）は、便器８、９の下側に埋設する汚物タンク３０を示す。汚物タンク３０は、３つの汚物タンク３１、３３、３５を直状に配置したものである。汚物タンク３１は、便器８の台座８ａをコンクリート製の容器に取り付けたものである。同様に、汚物タンク３３は、便器９の台座９ａを２個取り付けたものである。汚物タンク３５は、便器９の台座９ａを３個取り付けたものである。汚物タンク３１、３３、３５は、同一の深さＤ（＝１０００ｍｍ）と短手方向の長さＷｓ（＝１０００ｍｍ）とを有している。汚物タンク３１、３３、３５の長手方向の長さは、それぞれＬ１（＝１０００ｍｍ）、Ｌ２（＝２０００ｍｍ）、Ｌ３（＝３０００ｍｍ）である。汚物タンク３１、３３、３５は、図面左側に凸状に１個所が突出している突起部分（凸部）３１ａ、３３ａ、３５ａ、図中右側に凹状に２個所が突出している突起部分（凹部）３１ｂ，３３ｂ、３５ｂを有している。汚物タンク３１の凹状突起部分３１ｂは、汚物タンク３３の凸状突起部分３３ａと嵌合する。汚物タンク３３の凹状突起部分３３ｂは、汚物タンク３５の凸状突起部分３５ａと嵌合する。嵌り合うことで位置決めが行われ、汚物タンク３１、３３、３５は、直状に配置される。また、排泄部処理部３１、３３、３５を組み合わすことによって所望の数のトイレを並べることができる。実際の設置は、便器８、９を汚物タンク３１、３３、３５に連通するように取り付けたユニット３２、３４、３６を、地下に作ったコンクリート製の平らな基礎（図示せず）の上に置き、周りに土を詰めて埋設することによって行う。また、トイレとしての使用後の清掃の便利のため、便器８、９の台座８ａ、９ａの地下側に複数のフックを設けておき、該フックに汚物収納袋を吊り下げて用いてもよい。
【００２７】
図６（ａ）に示す汚物タンク３１、３３、３５を埋設した後、床６は、地面にコンクリートを敷くことによって造る他、地面に予め用意した床材を敷き詰めて造ってもよい。図６（ｂ）は各ユニット３２、３４、３６に対応する幅の床材６１、６２、６３を取り付けた状態を示す。床材６１、６２、６３を繋ぎ合わせたものが、図１（ｂ）に示した床６である。床材６１、６２、６３は、取り付ける便器８、９が貫通する大きさの穴６ａ〜６ｆを有する。床材６１、６２、６３の厚みは、好ましくは床６と同一平面上に便器８、９の蓋８ｂ、９ｂが穴を通って出てくる値に設定する。床材６１、６２、６３は、隙間なく並べて配置できるように、汚物タンク３１、３３、３５の長手方向の長さＬ１、Ｌ２、Ｌ３と同じ値の幅Ｗｆ１（＝１０００ｍｍ）、Ｗｆ２（＝２０００ｍｍ）、Ｗｆ３（＝３０００ｍｍ）を有している。上記寸法は、一例である。なお、隣り合う床材が当接する部分には、位置ずれを防ぐ係合部分を備えてもよい。また、凸状突起部分３１ａ、３３ａ、３５ａ及び凹状突起部分３１ｂ、３３ｂ、３５ｂは、その特徴形状が理解し易いように強調して示したが、嵌め合いの形状が保たれる限りにおいて、寸法は種々変更してもよい。
【００２８】
図６（ｃ）は、汚物タンク３０の代わりに、便器８、９を地中の下水管３０ｂに連通する管３０ａを示す。管３０ａは、汚物タンク３１、３２、３３を一体形成した管状のもので、連結する下水管３０ｂへと汚物が流れるように傾斜を付した底面３０ｃを有している。
【００２９】
上記構成の緊急時用トイレ機能を有する倉庫１は、蓋型の便器８、９を設けたことによって、平常時は上部空間を占有することなく、緊急時に使用される備品７ａ、７ｂを収納するのに使用される。追加の組み立て材料の不要な、折り畳み式の仕切り壁１０を備えたことによって、倉庫として使用できる空間を広く確保できる。また、中蓋２３を備えたことによって倉庫内に臭いがこもるのを防ぐことができる。
【００３０】
緊急時用トイレ機能を有する倉庫１は、備品７ａ、７ｂを屋外に運び出し、仕切り壁１０を展開するだけで、周囲壁で囲まれた丈夫で安心して使える仮設トイレとして使用できる。仕切り壁１０の展開は、専門の知識及び工具を必要とせず、僅か２ステップの簡単な操作によって完了するため、緊急時に有用である。
【００３１】
（第２実施形態）
図７は、第２実施形態に係る緊急時用トイレ機能を有する倉庫４０の内部構成を示す。第１実施形態の緊急時用トイレ機能を有する倉庫１と同じ構成要素には同じ参照番号を付して示し、ここでの重複説明は省く。内壁４１には、６個の便器８、９を囲んで個別のトイレ空間を仕切る６個の仕切り壁４２を備えている。仕切り壁４２は、内壁４１寄りの位置に折り畳まれた未使用状態から、便器８、９の周りを囲んで内壁４１との間にトイレ空間（斜線を付して示す領域）４３を形成する使用状態へと変形可能である。詳しくは、仕切り壁４２は、倉庫の天井側の内壁から倉庫内に突出するように取り付けられているレール４２ａと、レール４２ａに沿って動くように取り付けられている軟らかい目隠し用のカーテン状の壁（スクリーン）４２ｂとで構成されている。図７には、内部構成の理解の容易のため、カーテン状の壁４２ｂの輪郭のみを描き、内壁４１に囲まれている便器８、９を視認できるように示している。
【００３２】
レール４２ａは、トイレ空間４３を形成するように内壁４１の天井側の位置から倉庫内へと（例えば１０００ｍｍ）突出し、予め定めた幅（例えば９００ｍｍ）だけ内壁２ａに平行に伸び、その後内壁２ａへと戻ってくる、例えば矩形形状を有している。内壁４１のレール４２ａ近傍で、床６からの高さ約１０００ｍｍの位置にフック４４を設け、カーテン状の壁４２ｂの両端に床６から高さ約１０００ｍｍの位置にそれぞれループ状の部材４５を設ける。ループ状の部材４５を内壁４１のフック４４に掛けることで鍵として用いる。各フック４４は、トイレ空間内に向く方向に設けられており、簡単な構成であるにもかかわらず、トイレ空間の外からループ状の部材４５を容易に外せないようになっている。
【００３３】
収納時は、レールに取り付けた状態で、一般のカーテンと同様に、束にして内壁４２ａ側に置いておく。
【００３４】
トイレ空間を形成するための仕切り壁４２の展開は、軟らかいカーテン状の壁４２ｂをレール４２ａに沿って移動するだけのわずか１ステップで完了する。
【００３５】
なお、レール４２ａは、強度を高めるため、屋根３（図１（ａ））の天井から吊り下げる構成を用いてもよい。また、仕切り壁４２は、カーテン４２ｂの代わりにアコーディオンカーテン、パネルスクリーン、バーチカルブラインド等天地方向に長い複数の薄板を連結したものを用いてもよい。また、フック４４の向き及び形状は、ループ以上の部材４５と共に鍵としての効果を奏し得る限りにおいて、種々変更してもよい。
【００３６】
緊急時用トイレ機能を有する倉庫４０は、備品を屋外に運び出し、カーテン状の仕切り壁４２ｂをレール４２ａに沿って移動するだけでトイレ空間を形成でき、周囲壁で囲まれた丈夫で安心して使える仮設トイレとして使用できる。トイレ空間の形成は、専門の知識及び工具を必要とせず、僅か１ステップの簡単な操作によって完了する。また、専門知識が無くとも、極めて容易に取り扱い方法を理解できるため、緊急時に有用である。カーテン状の仕切り壁４２ｂは、屋外では風雨に弱いという欠点があるが、屋根３付きの倉庫４０内での使用であるため、かかる欠点はほとんど問題とならない。
【００３７】
（その他の変形例）
なお、本発明は、上記実施形態に限られず、発明の趣旨を変更しない範囲で種々の変形が可能である。例えば、倉庫に収納する備品は、緊急時に屋外に出すことによって緊急時用便器を使用するのに必要なトイレ空間が形成できるという条件を満たすものであればよい。
【００３８】
また、図６（ｂ）に示した実施例において、床材６１、６２、６３の十分な強度が確保できているという条件を満たす場合、便器８、９の構成物の内、床材の穴６ａ〜６ｆと汚物タンク３０との間の台座８ａ、９ａを省き、便器８、９の平らな蓋８ｂ、９ｂ及び中蓋２３を床材６１、６２、６３の穴を覆うように直接取り付け、各穴から汚物が落下してくる位置に開口を設けた汚物タンクを埋設する構成を採用してもよい。
【産業上の利用可能性】
【００３９】
本発明は、緊急時に使用される備品を収納する倉庫及びこれに準ずる収納庫全般に用いることができる。
【符号の説明】
【００４０】
１          緊急時用トイレ機能を有する倉庫
２          周囲壁
３          屋根
５ａ、５ｂ  開閉扉
６          床
６ａ〜６ｆ  穴
７ａ、７ｂ  備品
８、９      便器
８ｂ、９ｂ  蓋
１０        仕切り壁
１０ｂ      扉パネル
１０ｃ      仕切りパネル
１０ｆ      鍵
２３        中蓋
３０        汚物タンク
３０ｂ      下水管
４２ａ      レール
４２ｂ      スクリーン
【図１】
0006045815.tif 000002
【図２】
0006045815.tif 000003
【図３】
0006045815.tif 000004
【図４】
0006045815.tif 000005
【図５】
0006045815.tif 000006
【図６】
0006045815.tif 000007
【図７】
0006045815.tif 000008